(57)【特許請求の範囲】
【請求項１】
電磁石操作式の圧力切換弁（１０）であって、磁石ケーシング（１６）を有しており、該磁石ケーシング（１６）の内室内にケーシング固定された磁石コア（１５）を備えた磁石コイル（１３）が配置されていて、前記磁石コア（１５）内に、圧力媒体のための貫通孔（１７）が形成されていて、該貫通孔（１７）が磁石可動子（２０）と協働するようになっており、この磁石可動子（２０）が、最大磁束密度の位置まで磁石コイル（１３）内に突入する区分（２２）を有しており、磁石ケーシング（１６）に接続された、圧力媒体流を制御するための弁ケーシング（３３）が設けられている形式のものにおいて、
磁石可動子（２０）が、磁石コイル（１３）内に突入する区分（２２）に接続された底部（２３）を備えたＵ字形横断面を有していて、磁石コイル（１３）の外側にリング状に延びるフランジ状のつば（２１）を備えており、弁ケーシング（３３）が、磁石可動子（２０）の区分（２２）内に突入する突起部（３７）を有しており、該突起部（３７）内に圧力媒体通路（３８）が形成されていて、該圧力媒体通路（３９）が閉鎖部材（１９）と協働することを特徴とする、圧力切換弁。
【請求項２】
前記磁石可動子（２０）の区分（２２）が、磁石コイル（１３）内に少なくとも１／３まで突入している、請求項１記載の圧力切換弁。
【請求項３】
磁石可動子（２０）内に、圧力媒体のための貫通孔（２７，２９）が形成されている、請求項１又は２記載の圧力切換弁。
【請求項４】
磁石可動子（２０）が、一体的な打ち抜き及び絞り加工部分として構成されている、請求項１から３までのいずれか１項記載の圧力切換弁。
【請求項５】
前記底部（２３）内に、貫通孔（１７）のための閉鎖部材として使用される弁球（１９）が押し込められている、請求項１から４までのいずれか１項記載の圧力切換弁。
【請求項６】
磁石コア（１５）の貫通孔（１７）に向き合う、磁石可動子の底部（２３）が、スタンピング加工によって、貫通孔（１７）のための閉鎖部材として用いられるように、成形されている、請求項１から４までのいずれか１項記載の圧力切換弁。
【請求項７】
円筒形の磁石可動子の区分（２２）がばね（３０）によって取り囲まれていて、該ばね（３０）が一方では磁石コア（１５）によって、他方では磁石可動子のつば（２１）によって支えられている、請求項１から６までのいずれか１項記載の圧力切換弁。
【請求項８】
磁石可動子のつば（２１）が、その磁石コイル（１５）に向けられた端面側で支持縁部（２５）を有している、請求項１から７までのいずれか１項記載の圧力切換弁。
【発明の詳細な説明】
【０００１】
【発明の属する技術分野】
本発明は、電磁石操作式の圧力切換弁であって、磁石ケーシングを有しており、該磁石ケーシングの内室内にケーシング固定された磁石コアを備えた磁石コイルが配置されていて、前記磁石コア内に、圧力媒体のための貫通孔が形成されていて、該貫通孔が磁石可動子と協働するようになっており、この磁石可動子が、最大磁束密度の位置まで磁石コイル内に突入する区分を有しており、磁石ケーシングに接続された、圧力媒体流を制御するための弁ケーシングが設けられている形式のものに関する。
【０００２】
【従来の技術】
このような形式の公知の圧力切換弁は、円筒形又はプレート状の可動子を有しており、この可動子は、磁石コア内に形成された、圧力媒体が貫流する孔と協働するようになっている。この孔を通じて磁石可動子によって、圧力媒体流が、例えばポンプから自動車のオートマチック伝動装置内の消費器へと切り換えられる。このような形式の圧力切換弁は、円筒形の可動子を使用する際に、この可動子が、可動子と磁石コアとの間の狭い半径方向の軸受ギャップによって、汚れ易く従ってロックしやすいという欠点がある。また、有効な磁石面は、円筒形の可動子の比較的小さい横断面によって制限されている。これに対して、プレート状の可動子は、傾倒し易くひいては場合によって傾いてしまうという欠点がある。作業エアギャップは、コイルの外側、ひいては最大磁束密度の外側にあるので、磁石力は制限される。
【０００３】
【発明が解決しようとする課題】
そこで本発明の課題は、以上のような公知の装置における欠点を取り除くことである。
【０００４】
【課題を解決するための手段】
この課題を解決した本発明によれば、磁石可動子が、磁石コイル内に突入する区分に接続された底部を備えたＵ字形横断面を有していて、磁石コイルの外側にリング状に延びるフランジ状のつばを備えており、弁ケーシングが、磁石可動子の区分内に突入する突起部を有しており、該突起部内に圧力媒体通路が形成されていて、該圧力媒体通路が閉鎖部材と協働するようになっている。
【０００５】
【発明の効果】
本発明によれば、可動子が、コイル内部内の最大磁束密度領域内に配置されており、汚れにくいにも拘わらず、可動子のために高い有効磁石面が得られるという利点を有している。また、特別な横断面形状によって、磁石可動子の質量は比較的小さく、ひいては高い切換速度が得られる。特別な横断面形状によって、比較的安価なコストで、圧力媒体のための貫通孔を形成することができる。
【０００６】
本発明による圧力切換弁の別の利点及び有利な構成は、請求項２以下及び明細書に記載されている。特に簡単な構成として、磁石可動子は一体的な打ち抜き及び絞り加工部分として製造されている。弁部材として球を使用することによって、正確な弁座及び簡単に調節可能な弁ストロークが得られる。磁石可動子が、磁界強さが最大である領域内に配置されていれば、特に有利である。これによって、磁石可動子の運動において、相互誘導が磁石コイル内に生じる。この相互誘導は、電子回路によって可動子運動として認識されるか若しくは制御装置に制御値として供給される。本発明の有利な実施例によれば、磁石可動子はばねによって取り囲まれており、このばねは、磁石可動子を確実に軸方向でガイドする。
【０００７】
【発明の実施の形態】
次に本発明の実施の形態を図面に示した実施例について説明する。
【０００８】
図１に示した電磁石式に操作される圧力切換弁１０は、有利には自動車のオートマチック伝動装置内に設けられた、図示していない液圧システムの構成部分である。この切換弁は、ポンプＰと消費器Ａと戻し案内容器Ｔとの間で圧力媒体流を公知の形式で切り換えるためのものである。圧力切換弁１０は、金属製のスリーブ１１内に挿入された、巻枠１２に巻き付けられた磁石コイル１３を有しており、この磁石コイル１３は電気的な接続部１４を有している。切換弁１０の磁石ケーシング１６は、巻枠１２若しくはスリーブ１１をプラスチック材料によって射出成形で埋め込む際に形成される。巻枠１２内には磁石コア１５が挿入されている。磁石コア１５の長さは、巻枠１２の長さの約２／３であって、磁石コア１５は、接続部１４に向けられた側で巻枠１２とほぼ同一面を成して終わっている。
【０００９】
磁石コア１５には、孔区分１７ａ，１７ｂを有する段付き孔１７が同軸的に貫通している。接続部１４側に向けられた、直径の大きい方の孔区分１７ａは、戻し案内容器Ｔに接続されている。孔区分１７ｂの開口は、弁球９のための弁座１８を形成している。弁球１９は、可動子２０内に押し込められてる。
【００１０】
可動子２０は、フランジ状に延びるつば２１を備えたＵ字形の横断面を有している。可動子２０から、底部２３を備えた区分２２が、磁石コイル１３内に突入しており、この区分２２は、この磁石コイル１３の最大磁束密度の位置まで突入している。つまり、区分２２は、図示の実施例では少なくともほぼ、磁石コイル１３の内室内の１／３まで達しているということである。つば２１は、磁石コイル１３の端面に対して平行に配置された極円板２４に整列されており、この極円板２４は、磁石コイル１３と可動子２０のつば２１との間に位置していて、スリーブ１１に接続されている。さらにまた、つば２１の外周部には、極円板２４に向けられた支持縁部２５が形成されている。
【００１１】
つば２１には、圧力媒体のための例えば４つの貫通孔２７が、軸方向で同じ間隔を保って形成されている。同様に、区分２２の底部２３には、弁球１９の横に並んで多数の例えば２つの、圧力媒体を貫流させるための切欠２９が配置されている。
【００１２】
有利な実施例においては、可動子２０は、打ち抜き及び絞り加工(Stanzziehteil)された１つの部分として形成されており、この場合に貫通孔２７若しくは切欠２９は、打ち抜きによって形成される。絞り加工段階に次いで、弁球１９が区分２２内に押し込められる。
【００１３】
可動子２０の区分２２は、ばね３０によって取り囲まれており、このばね３０は、一方ではつば２１で支えられていて、他方では、磁石コア１５の外周部に形成されたショルダ部３１で支えられている。ばね３０自体は、巻枠１２内に半径方向で遊びを保って配置されている。磁石コイル１３の無電流状態（電流が供給されない状態）では、ばね３０が、可動子２０若しくは弁球１９を弁座１８から持ち上げ、これによって弁座１８を介して、戻し案内容器Ｔとの接続が形成されるように作用する。可動子２０のつば２１は、弁ケーシング３３の同様にほぼリング状の切欠３２内で遊びを保って配置されている。弁ケーシング３３は、切削作業を行わない変形作業によってスリーブ１１に接続されている。この作業は次のようにして行われる。つまり、スリーブ１１にショルダ部３４を形成してから、極円板２４と弁ケーシング３３とから成る複合体をショルダ３４に向かって押し込み、次いで、スリーブ１１の突出する縁部３６を弁ケーシング３３に向かって折り曲げ、これによって気密な接続が形成される。
【００１４】
有利にはプラスチックより成る弁ケーシング３３は、区分２２内に突入する突起部３７を有しており、この突起部３７は、ほぼ底部２３まで達している。突起部３７内には、孔区分１７ｂに対して同軸的に別の孔３８が形成されている。孔３８は、孔区分１７ｂとほぼ同じ直径を有している。孔３８は、弁ケーシング３３内で横方向孔３９に開口しており、この横方向孔３９は、ポンプＰの接続部に接続されている。さらにまた、可動子２０の摺動運動は、磁石コイル１３の無電流状態で、可動子２０の弁球１９がばね３０によって孔３８に押しつけられ、この孔３８をポンプＰに対して気密に閉鎖するように選定されている。
【００１５】
弁ケーシング３３内で孔３８に対して平行に、横方向孔３９と交差しない通路が、一方では弁ケーシング３３の切欠３２内に開口していて、他方では消費器Ａに接続されている。
【００１６】
上記圧力切換弁１０は次のように作業する。
【００１７】
磁石コイル１３の無電流状態で、可動子２０はばね３０のばね力によって、弁ケーシング３３の突起部３７に向かって押しつけられるので、弁球１９は、孔３８をポンプＰに対してシールする。これによって、通路４１と切欠３２と貫通孔２７若しくは切欠２９と孔区分１７ｂ，１７ａとを介して、消費器Ａと戻し案内容器Ｔとの間の貫通接続が形成される。
【００１８】
これに対して磁石コイル１３に電流が供給される給電状態では、可動子２０は磁石コア１５によって引き寄せられる。これによって弁球１９は弁座１８上に載り、戻し案内容器Ｔに通じる孔１７を閉鎖する。これによって、ポンプＰと消費器Ａとの間の貫通接続が形成される。この接続は、横方向孔３９と孔３８、突起部３７と区分２２との間のリング状のギャップ、切欠３２並びに通路４１によって形成される。
【００１９】
可動子２０の運動において特に有利であることは、可動子２０が、ばね３０及び突起部３７によって、並びに支持縁部２５によって軸方向でガイドされていて、これによって、傾倒しないようになっているということである。さらにまた、圧力切換弁（圧力制御弁）１０は、可動子２０を特別に構成したことによって汚れにくくなっている。何故ならば、特に区分２２と磁石コイル１３との間には粒子のための狭いギャップがどこにも存在しないからである。可動子２０の区分２２が、最大の磁気力領域内に配置されていることによって、可動子２０の運動において、磁石コイル１３内に相互誘導(Gegeninduktion)が生ぜしめられる。この相互誘導は、相応の評価回路を介して若しくは制御装置によって可動子の運動として認識される。また、可動子ストロークは、製造許容誤差の影響を少ししか受けない。何故ならば、可動子ストロークは、可動子２０の底部２３内での弁球１９の押し込み深さに亙って、正確に製造可能であって、弁球１９自体は、質量部分として高精度で製造することができるからである。可動子２０が打ち抜き絞り加工部分として構成されていることによって、可動子２０の質量は比較的小さく、ひいては、磁石コイル１３への給電が変化した時の高い調節速度を有している。
【００２０】
弁座１８側に向けられた、底部の部分が相応に若しくは半球状にスタンピング加工されていれば、弁球１９の代わりに、区分の底部２３を弁部材として使用してもよい。
【図面の簡単な説明】
【図１】  図面は、電磁石式に操作可能な圧力切換弁の縦断面図である。
【符号の説明】
１０  圧力切換弁、  １１  スリーブ、  １２  巻枠、  １３  磁石コイル、  １４  接続部、  １６  磁石ケーシング、  １７  段付き孔、  １７ａ，１７ｂ  孔区分、  １８  弁座、  １９  弁球、  ２０  可動子、  ２１  つば  ２２  区分、  ２３  底部、  ２４  極円板、  ２５  支持縁部、  ２７  貫通孔、  ３０  ばね、  ３１  ショルダ部、  ３２  切欠、  ３３  弁ケーシング、  ３４  ショルダ部、  ３６  縁部、  ３７  突起部、  ３８  孔、  ３９  横方向孔、  ４１  通路、  Ａ  消費器、  Ｔ  戻し案内容器、  Ｐ  ポンプ
【図１】
0003822667.tif 000002